【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
物理層デバイス（ＰＨＹ）であって、
データ速度の約数Ｎを選択するためのデータ速度モジュールであって、Ｎは、１より大きい正の整数と、１より大きい実数と、のうちの少なくとも１つである、データ速度モジュールと、
ＰＨＹコアであって、
Ｍ／Ｎ  Ｇｂｐｓのデータ速度で、第１の信号を伝送するための、ＰＨＹ伝送モジュールと、
Ｍ／Ｎ  Ｇｂｐｓのデータ速度で、第２の信号を受信するための、ＰＨＹ受信モジュールと、を含み、
前記第１および第２の信号は、
Ｍ＝１の場合、１０００ＢＡＳＥ−Ｔに準拠し、
Ｍ＝１０の場合、１０ＧＢＡＳＥ−Ｔに準拠する、ＰＨＹコアと、を含む、物理層デバイス。
【請求項２】
前記第１の信号および前記第２の信号を輸送するケーブルの１つ以上の特性を計測するための、ケーブル計測モジュールと、をさらに含み、
前記データ速度モジュールは、前記ケーブルの前記１つ以上の特性に基づいて、前記データ速度の約数Ｎを選択する、請求項１に記載の物理層デバイス。
【請求項３】
前記ケーブルの前記１つ以上の特性は、
前記ケーブルの長さと、
前記ケーブルの信号伝送品質と、のうちの少なくとも１つを含む、請求項２に記載の物理層デバイス。
【請求項４】
参照クロック速度に基づいて、ローカルクロック速度を発生させるためのクロック低下回路をさらに含み、
前記ローカルクロック速度に対する前記参照クロック速度の比率はＮであり、
前記ＰＨＹコアは、前記ローカルクロック速度に従って動作する、請求項１から請求項３のいずれか１つに記載の物理層デバイス。
【請求項５】
１２５Ｍｂａｕｄの記号速度で、パルス振幅変調−５記号（ＰＡＭ−５記号）を発生させるための、物理符号化副層（ＰＣＳ）伝送モジュールと、
前記ＰＡＭ−５記号のそれぞれに対して、Ｎ個の連続する記号期間、ＰＡＭ−５ライン信号を発生させるための記号伝送モジュールと、をさらに含む、請求項１から請求項４のいずれか１つに記載の物理層デバイス。
【請求項６】
それぞれの発生したＰＡＭ−５ライン信号のレベルは、対応するＰＡＭ−５記号を表す、請求項５に記載の物理層デバイス。
【請求項７】
それぞれの発生したＰＡＭ−５ライン信号のレベルは、前記ＰＡＭ−５記号の連続する記号の間の補間を表す、請求項５に記載の物理層デバイス。
【請求項８】
前記第２の信号に基づいて、パルス振幅変調−５ライン信号（ＰＡＭ−５ライン信号）を発生させるための、ケーブル受信モジュールと、
前記ＰＡＭ−５ライン信号のそれぞれの、各Ｎ個の連続する記号期間、１つのＰＡＭ−５記号を発生させるための、記号受信モジュールと、をさらに含む、請求項１から請求項７のいずれか１つに記載の物理層デバイス。
【請求項９】
第１のデータに基づいて５レベルのパルス振幅変調記号を生成する物理符号化副層伝送モジュールと、
（ｉ）前記５レベルのパルス振幅変調記号および（ｉｉ）前記データ速度の約数Ｎに基づいて５レベルのパルス振幅変調ライン信号を生成するパルス信号伝送モジュールとをさらに備え、
前記ＰＨＹ伝送モジュールは、Ｍ／Ｎ  Ｇｂｐｓのデータ速度でケーブルを介して前記５レベルのパルス振幅変調ライン信号を表す前記第１の信号を伝送し、
前記ＰＨＹ受信モジュールは、前記Ｍ／Ｎ  Ｇｂｐｓのデータ速度でケーブルを介して前記第２の信号を受信する請求項１に記載の物理層デバイス。
【請求項１０】
参照クロック速度に基づいてローカルクロック速度を生成するクロック低下回路と、
１２５Ｍｂａｕｄの記号速度で５レベルのパルス振幅変調信号を生成する物理符号化副層伝送モジュールと、
前記５レベルのパルス振幅変調信号のそれぞれのためのＮ個の連続する記号期間に対する５レベルのパルス振幅変調ライン信号を生成する記号伝送モジュールと
をさらに備え、
前記ローカルクロック速度に対する前記参照クロック速度の比率は、Ｎであり、
前記ＰＨＹコアは、前記ローカルクロック速度に従って動作する請求項１に記載の物理層デバイス。
【請求項１１】
前記データ速度の約数Ｎは、複数の数のセットから選択され、
前記複数の数のセットは、１０で割り切れず、
前記Ｍ／Ｎ  Ｇｂｐｓのデータ速度は、１０で割り切れない請求項１に記載の物理層デバイス。
【請求項１２】
前記ＰＨＹコアは、
第１のデータに基づいて５レベルのパルス振幅変調信号を生成する物理符号化副層伝送モジュールと、
（ｉ）５レベルのパルス振幅変調信号および（ｉｉ）前記データ速度の約数Ｎに基づいて前記５レベルのパルス振幅変調ライン信号を生成する記号伝送モジュールとを有し、
前記第１の信号は、生成された前記５レベルのパルス振幅変調ライン信号を表し、
前記第１および第２の信号は、
前記Ｍ／Ｎ  Ｇｂｐｓのデータ速度が１０００ｂｐｓより小さい場合、１０００ＢＡＳＥ−Ｔに準拠し、
前記Ｍ／Ｎ  Ｇｂｐｓのデータ速度が１０００ｂｐｓ以上で１０Ｇｂｐｓより小さい場合、１０ＧＢＡＳＥ−Ｔに準拠する請求項１に記載の物理層デバイス。
【請求項１３】
前記第１および第２の信号は、
Ｍ＝１の場合、１０００ＢＡＳＥ−Ｔの特性を有し、
Ｍ＝１０の場合、１０ＧＢＡＳＥ−Ｔの特性を有し、
前記特性は、物理符号化副層、誤り訂正方式、および信号伝達方式の態様を含む請求項１に記載の物理層デバイス。
【請求項１４】
ネットワークインターフェースモジュールであって、
請求項１に記載の物理層デバイスと、
第１のデータを前記ＰＨＹへ提供し、前記ＰＨＹから第２のデータを受信するための、メディアアクセスコントローラと、を含む、ネットワークインターフェースモジュール。
【請求項１５】
前記メディアアクセスコントローラから受信した前記第１のデータを格納するための、先入れ先出しバッファ（ＦＩＦＯ）と、
前記ＦＩＦＯに格納される前記第１のデータの量が、規定の閾値を上回る場合に、休止信号を、前記メディアアクセスコントローラに伝送するための、フロー制御回路と、をさらに含む、請求項１４に記載のネットワークインターフェースモジュール。
【請求項１６】
請求項１４または請求項１５に記載のネットワークインターフェースモジュールを含む、ネットワークデバイス。
【請求項１７】
前記ネットワークデバイスは、
ネットワークスイッチ、
ルータ、および
ネットワークインターフェースコントローラから成る群より選択される、請求項１６に記載のネットワークデバイス。
【手続補正２】
【補正対象書類名】明細書
【補正対象項目名】００８５
【補正方法】変更
【補正の内容】
【００８５】
多数の実施例について説明した。しかしながら、開示の範囲を逸脱しない限り、種々の修正を実行してもよいことが理解されよう。
［項目１］
データ速度の約数Ｎを選択するステップであって、Ｎは、正の整数と、１以上の実数と、のうちの少なくとも１つである、ステップと、
Ｍ／Ｎ  Ｇｂｐｓのデータ速度で、第１の信号を伝送するステップと、
上記Ｍ／Ｎ  Ｇｂｐｓのデータ速度で、第２の信号を受信するステップと、を含み、
上記第１および第２の信号は、
Ｍ＝１である、１０００ＢＡＳＥ−Ｔと、
Ｍ＝１０である、１０ＧＢＡＳＥ−Ｔと、のうちの少なくとも１つに準拠する、方法。
［項目２］
上記第１の信号および上記第２の信号を輸送するケーブルの１つ以上の特性を計測するステップと、
上記ケーブルの上記１つ以上の特性に基づいて、上記データ速度の約数Ｎを選択するステップと、をさらに含む、項目１に記載の方法。
［項目３］
上記ケーブルの上記１つ以上の特性は、
上記ケーブルの長さと、
上記ケーブルの信号伝送品質と、のうちの少なくとも１つを含む、項２に記載の方法。
［項目４］
参照クロック速度に基づいて、ローカルクロック速度を生成するステップであって、上記ローカルクロック速度に対する、上記参照クロック速度の比率はＮである、ステップをさらに含み、
上記第１の信号は、上記ローカルクロック速度に従って伝送され、上記第２の信号は、上記ローカルクロック速度に従って受信される、項目１に記載の方法。
［項目５］
１２５Ｍｂａｕｄの記号速度で、パルス振幅変調−５記号（ＰＡＭ−５記号）を生成するステップと、
上記ＰＡＭ−５記号のそれぞれに対して、Ｎ個の連続する記号期間、ＰＡＭ−５ライン信号を発生させるステップと、をさらに含む、項目１に記載の方法。
［項目６］
それぞれの発生したＰＡＭ−５ライン信号のレベルは、対応するＰＡＭ−５記号を表す、項目５に記載の方法。
［項７］
それぞれの発生したＰＡＭ−５ライン信号のレベルは、上記ＰＡＭ−５記号の連続する記号の間の補間を表す、項目５に記載の方法。
［項目８］
上記第２の信号に基づいて、パルス振幅変調−５ライン信号（ＰＡＭ−５ライン信号）を生成するステップと、
上記ＰＡＭ−５ライン信号のそれぞれの、各Ｎ個の連続記号期間、１つのＰＡＭ−５記号を生成するステップと、をさらに含む、項目１に記載の方法。
［項目９］
先入れ先出しバッファ（ＦＩＦＯ）に上記第１の信号によって表されるデータを格納するステップと、
上記ＦＩＦＯに格納された上記データの量が、規定の閾値を上回る場合に、休止信号を伝送するステップと、をさらに含む、項目１に記載の方法。